(57)【要約】【課題】本発明では発生した輝度差を吸収する為の回路を設け、ユーザが精度よく輝度の調整を行える手段を提供する。【解決手段】走査線に分解されて入力される映像信号の走査のタイミングに合わせてタイミング生成回路２２ｃが第一の画質調整経路２２ａと第二の画質調整経路２２ｂをと切り替えて映像信号を入力し、第一の画質調整経路２２ａは入力される映像信号に対して画面上の映像の輝度を調整する所定の処理を行い、第二の画質調整経路２２ｂは設定された輝度調整量で入力される映像信号に対して画面上の映像の輝度を調整する処理を行い、マイコン３４が輝度調整量を設定する入力を受け付け第二の輝度調整経路２２ｂに対して同入力を受け付けた輝度調整量で上記画面上の映像の輝度を調整させる。【選択図】図４
2007174507.tif 000002
【特許請求の範囲】
【請求項１】
走査線に分解されて入力される映像信号に基づき所定の画面に映像を表示するアスペクト比１６：９のワイドタイプの表示画面を持つプラズマディスプレイパネルモジュールと、
音声を出力するスピーカと、
入力された中間周波信号から映像信号と同期信号と音声信号とを復元して出力する中間周波増幅・検波回路と、
入力された映像信号に画質の調整を行う画質調整回路と、
入力された映像信号に所定の信号処理を行う画像データ生成回路と、
所定のフォーマットのパルスで表現した赤外線信号を受信して対応する電圧信号を生成する赤外線受光回路と、
操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、
略矩形状の窓部から上記プラズマディスプレイパネルモジュールの画面を前方に露出させる樹脂製のキャビネットと、
上記画面にＯＳＤ表示するため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに操作項目を画面に一覧表示させるＯＳＤ信号を生成し、上記画像データ生成回路にて表示された上記操作項目の中からいずれかを選択する操作入力を上記リモコンから受け付けるとともに選択された上記操作項目に対応する設定処理を実行するマイコンと
を備えるプラズマテレビジョンにおいて、
上記画質調整回路は、
入力される映像信号に対して当該映像信号に含まれる輝度信号の利得を調整することにより上記画面上の映像の輝度を調整する所定の処理を行う第一の画質調整経路と、
輝度調整量を表すデータを格納する不揮発性半導体メモリであってデータの書き換え可能なメモリを有し、当該メモリに格納されたデータに対応する輝度調整量で上記入力される映像信号に対して当該映像信号に含まれる輝度信号の利得を変更することにより上記画面上の映像を調整する処理を行う第二の画質調整経路と、
上記走査線の走査のタイミングに合わせて、上記画面上でアスペクト比４：３の映像が表示される領域の映像の輝度を上記第一の画質調整経路に調整させるとともに、上記画面上でアスペクト比１６：９の映像が表示される領域のうち上記アスペクト比４：３の映像が表示される領域を除く領域の映像の輝度を上記第二の画質調整経路に調整させるタイミング生成回路とを備え、
上記マイコンは、上記画面上の映像を表現する色成分毎に当該色成分のみからなる色の映像を上記画面に表示させ、当該色成分毎に上記輝度調整量を設定する操作入力をリモコンから受け付けて上記メモリに操作入力を受け付けた輝度調整量を表すデータを書き込むことにより、上記画面上で上記アスペクト比１６：９の映像が表示される領域のうち上記アスペクト比４：３の映像が表示される領域を除く領域の映像の輝度を調整させることを特徴とするプラズマテレビジョン。
【請求項２】
走査線に分解されて入力される映像信号に基づき所定の画面に映像を表示するディスプレイを備える映像表示装置において、
上記入力される映像信号に対して上記画面上の映像の輝度を調整する所定の処理を行う第一の画質調整手段と、
上記入力される映像信号に対して設定された輝度調整量で上記画面上の映像の輝度を調整する処理を行う第二の画質調整手段と、
上記輝度調整量を設定する入力を受け付け、上記第二の画質調整手段に対して同入力を受け付けた輝度調整量で上記画面上の映像の輝度を調整させる輝度調整手段と、
上記走査線の走査のタイミングに合わせて上記第一の画質調整手段と上記第二の画質調整手段とを切り替えながら上記画面上の映像の輝度を調整させる切替手段とを備えることを特徴とする映像表示装置。
【請求項３】
上記第二の画質調整手段は、
上記設定された輝度調整量に応じて上記入力される映像信号に含まれる輝度信号の利得を変更することにより上記画面上の映像の輝度を調整することを特徴とする請求項２に記載の映像表示装置。
【請求項４】
上記ディスプレイは、第一のアスペクト比の映像と当該第一のアスペクト比よりも横長とされた第二のアスペクト比の映像とを選択的に上記画面に表示するディスプレイとされ、
上記切替手段は、上記走査のタイミングに合わせて、上記画面上で上記第一のアスペクト比の映像が表示される領域の映像の輝度を上記第一の画質調整手段に調整させるとともに、上記画面上で上記第二のアスペクト比の映像が表示される領域のうち上記第一のアスペクト比の映像が表示される領域を除く領域の映像の輝度を上記第二の画質調整手段に調整させることを特徴とする請求項２または請求項３に記載の画像表示装置。
【請求項５】
上記輝度調整手段は、
上記画面上の映像を表現する色成分毎に上記輝度調整量を設定する入力を受け付け、当該色成分毎に上記第二の画質調整手段に対して同入力を受け付けた輝度調整量で上記画面上の映像の輝度を調整させることを特徴とする請求項２〜請求項４のいずれかに記載の映像表示装置。
【請求項６】
上記輝度調整手段は、
上記画面上の映像を表現する色成分毎に当該色成分のみからなる色の画面を上記ディスプレイに表示させ、当該色成分毎に上記輝度調整量を設定する入力を受け付けて上記第二の画質調整手段に対して同入力を受け付けた輝度調整量で上記画面上の映像の輝度を調整させることを特徴とする請求項２〜請求項５のいずれかに記載の映像表示装置。
【発明の詳細な説明】
【技術分野】
【０００１】
本発明は、輝度差を吸収することの可能な映像表示装置およびプラズマテレビジョンに関する。
【背景技術】
【０００２】
現在ＰＤＰテレビジョンの画角はワイドになっているが、実際のテレビジョン放送コンテンツは従来どおりのアスペクト比４：３の映像が放映されている。この映像をアスペクト比１６：９などのワイド型パネルに表示する方法の１つに、両サイドに非表示領域を設けて、アスペクト比４：３表示を画面中央に行うという方法がある。この場合、中央の表示領域は寿命劣化が進み、両サイドの非表示領域は寿命劣化がない。このため長時間この表示状態を維持した後、アスペクト比１６：９表示の映像を表示すると、アスペクト比４：３表示を行っていた部分と非表示領域との間に輝度差が発生する。
【０００３】
これを低減する為に、
（１）非表示領域をグレーとする
（２）所定時間に一度画素ずらしを行う
（３）全面に白表示を行うことにより焼き付き現象を軽減させる
（４）色反転画像を表示する事により焼き付き現象を軽減させる
などの工夫が行われている
【０００４】
特許文献１には、部分表示モードで画像が表示された時間を計測する部分表示時間計測部を設けて、部分表示モードから全画面表示モードに切り替えた際に、部分表示時間計時部で計測される部分表示時間に予め対応付けられた補正データ値に基づいて、表示画面に表示させる映像表示信号の輝度レベルを、前記表示領域と前記非表示領域との間で補正することのできる画像表示装置について開示されている。
【０００５】
特許文献２には、映像部分（４：３映像表示部分）、マスク部分（両サイドの非表示領域部分）およびその境界の信号レベルを制御するための輝度制御部と、マスク部表示時間および累積時間と予め決められた所定の時間との差を判定する判定部と、マスク部分の信号レベルと前記マスク位置とを設定するための設定部とを備え、境界の前後の所定の範囲を所定のステップに分割し、同ステップ毎の表示を、輝度制御部により境界の中央から外側に段階的に輝度が減少するスムージング表示とするとともに、判定部の判定により、設定部が、マスク部分の信号レベルとマスク位置とを、焼付きのしにくい信号レベルと位置とに設定するようにした表示焼付防止装置について開示されている。
【特許文献１】特開２００４−１４４８１９号
【特許文献２】特開２００１−１７５２１２号
【発明の開示】
【発明が解決しようとする課題】
【０００６】
上記特許文献１のように、表示時間の関数として与えられる計算式や表示時間と対応付けられたデータなどに基づいて輝度の調整を行うと、正確な輝度の補正が行われない可能性がある。例えば、サッカー中継などを好んで視聴するユーザだと芝生の緑色の表示時間が多くなり、赤色や青い色の劣化よりも緑色の蛍光体の劣化が進む、ときなどである。
【０００７】
しかしながら、人間の見る目と、データによる補正とは必ずしも一致しない。また、ユーザの使用状況により、計算式やデータでは対応できないこともある。このような場合にも、精度よく調整できる映像表示装置の開発が望まれていた。本発明では発生した輝度差を吸収する為の回路を設け、ユーザが精度よく輝度の調整を行える手段を提供することを目的とする。
【課題を解決するための手段】
【０００８】
上記課題を解決するために、本発明では、走査線に分解されて入力される映像信号に基づき所定の画面に映像を表示するアスペクト比１６：９のワイドタイプの表示画面を持つプラズマディスプレイパネルモジュールと、音声を出力するスピーカと、入力された中間周波信号から映像信号と同期信号と音声信号とを復元して出力する中間周波増幅・検波回路と、入力された映像信号に画質の調整を行う画質調整回路と、入力された映像信号に所定の信号処理を行う画像データ生成回路と、情報を書き換え可能な不揮発性の半導体メモリと、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、略矩形状の窓部から上記プラズマディスプレイパネルモジュールの画面を前方に露出させる樹脂製のキャビネットと、上記画面にＯＳＤ表示するため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに操作項目を画面に一覧表示させるＯＳＤ信号を生成し、上記画像データ生成回路にて表示された上記操作項目の中からいずれかを選択する操作入力を上記リモコンから受け付けるとともに選択された上記操作項目に対応する設定処理を実行するマイコンとを備えるプラズマテレビジョンにおいて、上記画質調整回路は、入力される映像信号に対して当該映像信号に含まれる輝度信号の利得を調整することにより上記画面上の映像の輝度を調整する所定の処理を行う第一の画質調整経路と、輝度調整量を表すデータを格納する不揮発性半導体メモリであってデータの書き換え可能なメモリを有し、当該メモリに格納されたデータに対応する輝度調整量で上記入力される映像信号に対して当該映像信号に含まれる輝度信号の利得を変更することにより上記画面上の映像を調整する処理を行う第二の画質調整経路と、上記走査線の走査のタイミングに合わせて、上記画面上で上記アスペクト比４：３の映像が表示される領域の映像の輝度を上記第一の画質調整経路に調整させるとともに、上記画面上で上記アスペクト比１６：９の映像が表示される領域のうち上記アスペクト比４：３の映像が表示される領域を除く領域の映像の輝度を上記第二の画質調整経路に調整させるタイミング生成回路とを備え、上記マイコンは、上記画面上の映像を表現する色成分毎に当該色成分のみからなる色の画面を上記ディスプレイに表示させ、当該色成分毎に上記輝度調整量を設定する操作入力をリモコンから受け付けて上記メモリに同入力を受け付けた輝度調整量を表すデータを書き込むことにより、上記画面上で上記アスペクト比１６：９の映像が表示される領域のうち上記アスペクト比４：３の映像が表示される領域を除く領域の映像の輝度を調整させる構成としてある。
上記半導体メモリとしては不揮発性でデータ書き換え可能であればいかなるものでも構わない。
【０００９】
また、上記目的を達成するために、請求項２に記載の映像表示装置では、走査線に分解されて入力される映像信号に基づき所定の画面に映像を表示するディスプレイを備える映像表示装置において、上記入力される映像信号に対して上記画面上の映像の輝度を調整する所定の処理を行う第一の画質調整手段と、上記入力される映像信号に対して設定された輝度調整量で上記画面上の映像の輝度を調整する処理を行う第二の画質調整手段と、上記輝度調整量を設定する入力を受け付け、上記第二の画質調整手段に対して同入力を受け付けた輝度調整量で上記画面上の映像の輝度を調整させる輝度調整手段と、上記走査線の走査のタイミングに合わせて上記第一の画質調整手段と上記第二の画質調整手段とを切り替えながら上記画面上の映像の輝度を調整させる切替手段とを備える構成としてある。
【００１０】
つまり、走査線に分解されて入力される映像信号の走査のタイミングに合わせて上記切替手段が上記第一の画質調整手段と上記第二の画質調整手段をと切り替えて映像信号を入力し、上記第一の画質調整手段は入力される映像信号に対して上記画面上の映像の輝度を調整する所定の処理を行い、上記第二の画質調整手段は設定された輝度調整量で上記入力される映像信号に対して上記画面上の映像の輝度を調整する処理を行い、上記輝度調整手段が上記輝度調整量を設定する入力を受け付け上記第二の画質調整手段に対して同入力を受け付けた輝度調整量で上記画面上の映像の輝度を調整させる。
【００１１】
上記ディスプレイとしては、走査線に分解されて入力される映像信号を所定の画面に映像を表示することが出来ればいかなるものであってもよく、走査線に分解されて入力される映像信号がアナログ信号として入力されるディスプレイであってもよいし、アナログ信号からデジタル信号に変換された映像信号を表示するディスプレイであってもよい。
【００１２】
そして、請求項３にかかる発明では、請求項２に記載の映像表示装置において、上記第二の画質調整手段は、上記設定された輝度調整量に応じて上記入力される映像信号に含まれる輝度信号の利得を変更することにより上記画面上の映像の輝度を調整する構成としてある。
【００１３】
さらに、請求項４にかかる発明では、請求項２または請求項３に記載の画像表示装置において、上記ディスプレイは、第一のアスペクト比の映像と当該第一のアスペクト比よりも横長とされた第二のアスペクト比の映像とを選択的に上記画面に表示するディスプレイとされ、上記切替手段は、上記走査のタイミングに合わせて、上記画面上で上記第一のアスペクト比の映像が表示される領域の映像の輝度を上記第一の画質調整手段に調整させるとともに、上記画面上で上記第二のアスペクト比の映像が表示される領域のうち上記第一のアスペクト比の映像が表示される領域を除く領域の映像の輝度を上記第二の画質調整手段に調整させる構成としてある。
【００１４】
つまり、上記切替手段の上記走査のタイミングに合わせた切り替えにより、上記第一の画質調整手段が上記画面上で上記第一のアスペクト比の映像が表示される領域の映像の輝度を調整し、上記第二の画質調整手段が上記画面上で上記第二のアスペクト比の映像が表示される領域のうち上記第一のアスペクト比の映像が表示される領域を除く領域の映像の輝度を調整する。
【００１５】
また、請求項５にかかる発明では、請求項２〜請求項４のいずれかに記載の映像表示装置において、上記輝度調整手段は、上記画面上の映像を表現する色成分毎に上記輝度調整量を設定する入力を受け付け、当該色成分毎に上記第二の画質調整手段に対して同入力を受け付けた輝度調整量で上記画面上の映像の輝度を調整させる構成としてある。
【００１６】
つまり、上記画面上の映像を表現する色成分毎に上記輝度調整量を設定する入力を受け付けた上記輝度調整手段は、当該色成分毎に上記第二の画質調整手段に対して同入力を受け付けた輝度調整量で上記画面上の映像の輝度を調整させる。
【００１７】
そして、請求項６にかかる発明では、請求項２〜請求項５のいずれかに記載の映像表示装置において、上記輝度調整手段は、上記画面上の映像を表現する色成分毎に当該色成分のみからなる色の画面を上記ディスプレイに表示させ、当該色成分毎に上記輝度調整量を設定する入力を受け付けて上記第二の画質調整手段に対して同入力を受け付けた輝度調整量で上記画面上の映像の輝度を調整させる構成としてある。
【００１８】
つまり、上記画面上の映像を表現する色成分毎に当該色成分のみからなる色の画面を上記ディスプレイに表示させる上記輝度調整手段は、当該色成分毎に上記輝度調整量を設定する入力を受け付けて上記第二の画質調整手段に対して同入力を受け付けた輝度調整量で上記画面上の映像の輝度を調整させる。
【発明の効果】
【００１９】
以上説明したように、本発明の請求項２にかかる発明によれば、発生した輝度差を吸収する為の回路を設け、輝度調整量を受け付けることが可能としたため、精度よく輝度の調整を行える映像表示装置を提供することが出来る。
そして請求項３にかかる発明によれば、映像信号の輝度調整を利得により行うため、暗い領域での黒つぶれを防ぐことが出来る。
さらに請求項４にかかる発明によれば、画面上で第一のアスペクト比の映像が表示される領域は、画面上で第二のアスペクト比の映像が表示される領域のうち第一のアスペクト比の映像が表示される領域を除く領域よりも焼き付きが生じやすいが、画面上で第二のアスペクト比の映像が表示される領域のうち第一のアスペクト比の映像が表示される領域を除く領域の輝度を、輝度調整量を設定可能な第二の画質調整手段にて調整させるため、輝度を下げる調整が可能となり、無理なく輝度の調整が行える。
【００２０】
また請求項５にかかる発明によれば、色成分ごとに輝度補正量を設定可能としたため、より精度よく輝度の調整を行える映像表示手段を提供することが可能となる。
そして請求項６にかかる発明によれば、ユーザは実際に自分の目で見ながら輝度の調整を行える為より精度の高い輝度調整可能な映像表示手段を提供することが可能となる。
さらに請求項１のような、より具体的な構成において、上述した請求項２〜請求項６の各発明と同様の作用を奏することはいうまでもない。
【発明を実施するための最良の形態】
【００２１】
以下、下記の順序に従って本発明の実施形態を説明する。
（１）本実施例におけるプラズマテレビジョンの構成：
（２）画質調整回路の構成と動作：
（３）輝度調整量を設定するマイコンの処理：
（４）まとめ：
【００２２】
（１）本実施例におけるプラズマテレビジョンの構成：
図１は、プラズマテレビジョン１０の概略構成を説明するブロック図である。
同図において、マイコン３４は、内部に、ＣＰＵ３４ａ、ＲＯＭ３４ｂ、ＲＡＭ３４ｃ、ＯＳＤ（オンスクリーンディスプレイ）回路３４ｄを備えている。ＯＳＤ回路３４ｄは、画像データ生成回路２４に接続され、ＰＤＰ２７の画面にＯＳＤ表示する画像を表すＯＳＤ信号を生成し映像信号に重畳する。マイコン３４は、ＣＰＵ３４ａの制御により、赤外線受光回路３０から電圧信号を入力して対応するキー操作を検知するとリモコン６０からの操作入力を受け付け、受け付けた操作入力に対応したＯＳＤ信号を生成する。
【００２３】
また、マイコン３４は操作項目を画面に一覧表示させるＯＳＤ信号を生成し、ＰＤＰ２７の画面に表示された操作項目の中からいずれかを選択する操作入力をリモコン６０から受け付けるとともに、選択された操作項目に対応する設定処理を実行する。さらに、マイコン３４は後述する第二の画質調整経路２２ｂに対して輝度信号の輝度調整量を指示する制御信号を出力する。
【００２４】
プラズマテレビジョン１０は、アンテナ２０ａからの周波信号を入力するチュ−ナ回路２０を具備している。チュ−ナ回路２０は、マイコン３４の制御により、アンテナ２０ａを介してテレビ放送帯域に対応した所望周波数のテレビジョン信号を受信するとともに、この受信したテレビジョン信号から所要の信号だけを選択して高周波増幅し、中間周波信号に変換して出力する。テレビジョン信号の画像は、幾本もの走査線に分解されてアンテナ２０ａより受信される。
【００２５】
チューナ回路２０から出力された中間周波信号が中間周波増幅・検波回路２１に供給されると、中間周波増幅・検波回路２１は、マイコン３４からの制御データに基づいて、中間周波信号に各種の信号処理を施すことにより、ＹＣｂＣｒ（輝度信号、青色差信号、赤色差信号）で表現される映像信号（ＹＣｂＣｒ信号）と同期信号と音声信号とを復元する。復元されたＹＣｂＣｒ信号および同期信号は画質調整回路２２に出力され、復元された音声信号は図示しない低周波出力回路を経てスピーカに出力される。
【００２６】
チュ−ナ回路２０からの出力のうち映像信号（ＹＣｂＣｒ信号）は、画質調整回路２２に供給される。画質調整回路２２は、入力された映像信号の輝度信号や青色差信号、赤色差信号などの色成分信号の利得の調整を行うことで画質の調整を行ったのち、映像信号として再出力する。また同期信号も画質調整回路２２に供給され、後述するタイミング生成回路２２ｃに入力される。
【００２７】
画像データ生成回路２４は画質調整回路２２から入力されたビデオ信号のデジタル信号への変換処理、インタ−レ−ス形式の映像信号をプログレッシブ形式の映像信号へ変換する等の所定の信号処理を行う。
【００２８】
フレームメモリは、プログレッシブ形式の映像信号に変換された一表示画面（フレ−ム）毎の映像信号を一時的に格納するためのものであり、後述する駆動ドライバ２６を介してプラズマディスプレイパネル（ＰＤＰ）２７に出力、表示される。
【００２９】
駆動ドライバ２６は、ＰＤＰ２７にマトリクス状に設けられたＸ方向、Ｙ方向の両電極に、フレ−ムメモリ３８に格納されたフレ−ムデ−タに応じて発生されたデ−タパルスを印加し、所定のセルを発光制御する。なお、駆動ドライバ２６とＰＤＰ２７とで、ＰＤＰモジュ−ルが構成される。
【００３０】
電源回路３２は、電源ケーブルを介して商用交流電源が入力されるとともに、ＰＤＰ２７を駆動させるための電源電圧として、サステイン電圧、アドレス電圧、第１消去電圧、第２消去電圧、スキャン電圧などを生成し、ＰＤＰ２７に対して出力する。なお、電源回路３２は、ＰＤＰ２７以外にも、マイコン３４を始めプラズマテレビジョン１０を構成する各回路に対して必要な電源を供給している。
【００３１】
リモコン６０は操作を受け付ける複数のキーと、赤外線信号を赤外線受光回路３０に向けて送信する赤外線送信回路５６とを有し、同複数のキーの操作に応じた赤外線信号を所定のフォーマットで送出する。例えば、図２に図示するリモコン６０を用いて所望のチャンネルを受信させるべく操作すると、赤外線送信部６５より対応する赤外線リモコン信号が送出される。そして、マイコン３４が赤外線受光回路３０を介して同赤外線リモコン信号を受信し、対応するチャンネルを受信させるように周波数データをチューナ回路２０に送出する。またリモコン６０はテンキー６３、音量調節キー６２ａ，６２ｂ、上下左右カーソル移動キー６１ａ，６１ｂ，６１ｃ，６１ｄ、カーソル選択キー６１ｅ、メニューキー６４を備えている。
【００３２】
図３はリモコン６０の概略構成を示すブロック図である。リモコン６０は、制御回路５２を備え、同制御回路５２に接続された操作キー５１（図では３つの操作キーを例示）は図２のテンキー６３、音量調節キー６２ａ，６２ｂ、上下左右カーソル移動キー６１ａ，６１ｂ，６１ｃ，６１ｄ、カーソル選択キー６１ｅ、およびメニューキー６４にあたる。また制御回路５２には赤外線送信回路５６が接続されている。
【００３３】
赤外線送信回路５６は、図示しない赤外線発光素子を有しており、制御回路５２から出力される信号に対応した赤外線信号（無線信号）が、外部へ送信されるようになっている。制御回路５２は、ＣＰＵ５３、ＲＯＭ５４、ＲＡＭ５５等を備えている。そして、ＣＰＵ５３がＲＡＭ５５をワークエリアとして利用しながらＲＯＭ５４に記憶された所定のプログラムを実行し、リモコン６０全体の制御を行う。リモコン６０は、操作キーから操作入力を受け付け、入力された内容に対応する制御データを生成し、赤外線信号に変換して送信する。
【００３４】
図１１に所定の階層構造で階層化された操作項目の一例を示す。リモコン６０のメニューキー６４が押し下げ操作されたときプラズマテレビジョン１０の画面に最初に表示されるメインメニューには、操作項目を大きく分類した操作項目である、「画質」、「音質」、「チャンネル設定」、「予約」、などが表示されるメニューブロックを表示する。次に大きく分類した操作項目をリモコン６０にて選択入力するとサブメニューのメニューブロックが画面に表示される。例えばメインメニューで「画質」を選択入力したときは、サブメニューにおいて、「戻る」、「コントラスト」、「輝度」、「明るさ」、「色の濃さ」、「シャープネス」、などの操作項目が表示される。
【００３５】
（２）画質調整回路の構成と動作：
画質調整回路２２は、上述したように、入力されたビデオ信号の輝度信号や青色差信号、赤色差信号などの色成分信号の補正を行うことで画質の調整を行う。本発明では画質の調整のうち、特に輝度信号の利得の調整を行うことを主眼とする。ワイド型テレビジョンの場合、図５のように、アスペクト比１６：９の画面中央に配置された４：３表示領域Ｘが、両サイドに非表示領域Ｚが表示される。本実施例においては、アスペクト比４：３を第一のアスペクト比とし、アスペクト比１６：９を第一のアスペクト比よりも横長とされた第二のアスペクト比とする。
【００３６】
図４に画質調整回路２２の概略ブロック図を示す。中間周波増幅・検波回路２１より入力されたＹＣｂＣｒ信号は第一の画質調整経路２２ａもしくは第二の画質調整経路２２ｂに入力される。ＹＣｂＣｒ信号が、第一の画質調整経路２２ａと第二の画質調整経路２２ｂのいずれの経路に入力されるかは、入力される同期信号に基づいてタイミング生成回路２２ｃがスイッチ２２ｄの切り換えを行い、いずれの経路を経由させるかを決定する。
【００３７】
本発明においては、第一の画質調整経路２２ａで行われる輝度信号の調整は予め設定された所定の処理にて行われる。一方、第二の画質調整経路２２ｂでは、後述するように、ユーザが設定して、半導体メモリ３６の所定のアドレスに格納される輝度調整量を表す情報に基づいて調整が行われる。むろん、第一の画質調整経路２２ｂに対してもユーザが輝度調整量を設定できる構成としても構わない。第一の画質調整経路２２ａまたは第二の画質調整経路２２ｂにて画質調整がなされたＹＣｂＣｒ信号は同期信号とともに画像データ生成回路２４に出力される。
【００３８】
図６に、タイミング生成回路２２ｃにて生成されるタイミングチャートを示す。チューナ回路から入力される映像信号は、画面の左端から右端まで電子線を走査させる水平走査信号と、各水平走査信号の間に挿入される同期信号の繰り返しで構成されている。同図において、水平走査は画面の左端から右端までの水平走査信号を表し、帰線は右端まで走査したあと再び左端から走査を開始できるまでのタイムラグである帰線時間を表す。同図には図示されていないが水平走査が下端まで終了すると、再び上端から走査を開始できるまでのタイムラグである垂直同期信号の帰線時間が発生する。
【００３９】
タイミング生成回路２２ｃでは、アスペクト比１６：９の映像信号が入力されると、一回の水平走査時間を３分割して、最初の１／８を第二の画質調整経路２２ａに、その後の３／４を第一の画質調整経路２２ｂに、そして最後の１／８を第二の画質調整経路に、それぞれ切り替えさせる制御信号をスイッチ２２ｄに出力する。
【００４０】
スイッチ２２ｄは、タイミング生成回路２２ｃからの制御信号を受信すると第一の画質調整経路２２ａと第二の画質調整経路２２ｂとを切り替え、水平走査信号のうち最初の１／８を第二の画質調整経路２２ａに、その後の３／４を第一の画質調整経路２２ｂに、そして最後の１／８を第二の画質調整経路にそれぞれ経由させて出力させる。
【００４１】
画質調整回路２２にて調整される輝度信号はＹ信号であってもよいし、映像を表現する色成分を表す色信号であってもよく、赤（Ｒ）緑（Ｇ）青（Ｂ）の三原色に対する輝度をそれぞれに調整しても構わない。ＲＧＢそれぞれの輝度信号を調整する場合は、
Ｙ＝０．３Ｒ＋０．５９Ｇ＋０．１１Ｂ
Ｃｒ＝Ｒ−Ｙ
Ｃｂ＝Ｂ−Ｙ
の計算式にてＲＧＢ各色の輝度を得ることが出来る。
【００４２】
４：３表示領域Ｘは非表示領域Ｚと比べて表示頻度が高いため、４：３表示領域Ｘと非表示領域Ｚとに同一の輝度信号にて表示を行わせると、図９のように非表示領域Ｚの方の輝度が高く表示されるため、４：３表示領域Ｘと非表示領域Ｚとの間にギャップが生じてしまう。そこで、輝度信号に対する調整を行い、４：３表示領域Ｘにおける輝度信号よりも非表示領域Ｚにおける輝度信号の利得を下げる調整を行う。
【００４３】
図７に第一の画質調整経路２２ａと第二の画質調整経路２２ｂとにおける入力信号の輝度信号と出力信号の輝度信号の相関を表すグラフを示した。第一の画質調整経路２２ａにおける輝度信号の入力に対する出力の利得はＸ１のように常に一定であるのに対し、第二の画質調整経路２２ｂにおける出力はＺ１のように第一の画質調整経路２２ａにおける利得よりも低くなるように設定され、Ｘ１よりも低い利得であればＺ１’，Ｚ１”のようにユーザが様々な利得を設定可能である。
【００４４】
従って、第一の画質調整経路２２ａにて調整の行われた輝度信号が４：３表示領域Ｘに表示された際の輝度に合わせて、第二の画質調整経路２２ｂの調整を行うことが出来る。適切な輝度調整量の設定が行われると、図９において４：３表示領域Ｘと非表示領域Ｚとの間に生じていた輝度のギャップが無くなり、図１０のように４：３表示領域Ｘと非表示領域Ｚとで同一の輝度にて画面表示が行われるようになる。
【００４５】
図８に、ＲＧＢ各色に対して輝度の調整を行う際の、第一の画質調整経路２２ａと第二の画質調整経路２２ｂとにおける入力信号の輝度信号と出力信号の輝度信号の相関を表すグラフを示した。同図には、焼きつきの一例として、画面が茶色くなる焼きつきが生じたときの調整の例を示してある。茶色の焼きつきは、正常時の表示ＲＧＢのバランスに比べて、ＲとＧとの輝度が高い為に起こる。
【００４６】
従って、第二の画質調整経路２２ｂにて、赤と緑のそれぞれの輝度信号の入力に対する出力の利得Ｚ２（Ｒ）とＺ２（Ｇ）が、青の輝度信号の入力に対する出力の利得Ｚ２（Ｂ）よりも低くなるように調整する。Ｚ２（Ｒ）とＺ２（Ｇ）とはＺ２（Ｂ）よりも利得が小さければよく、任意の利得を採用可能である。
【００４７】
本実施例においては、第一の画質調整経路２２ａが第一の画質調整手段を構成し、第二の画質調整経路２２ｂが第二の画質調整手段を構成し、同期信号を受信して第一の画質調整経路２２ｂと第二の画質調整経路とを切り替えさせる制御信号を出力するタイミング生成回路２２ｃおよびタイミング生成回路より制御信号を受信して動作するスイッチ２２ｄが切替手段を構成する。
【００４８】
（３）輝度調整量を設定するマイコンの処理：
輝度の調整は、テレビジョンの各種設定を行うメニュー画面から行う。リモコン６０のメニューキー６４が押し下げ操作されると、図１１のメインメニューのようにメニュー画面が表示される。メニュー画面は「画質」、「音質」、「チャンネル設定」、「予約」などの操作項目がいずれかの位置に対応させたカーソルとともにＯＳＤ表示される。
【００４９】
このときのマイコン３４は、メインメニューの操作項目全てを表す情報をＲＯＭ３４ａより取得して、いずれかの位置に対応させたカーソルとともにＯＳＤ表示させるＯＳＤ信号をＯＳＤ回路３４ｄに生成させ、画像データ生成回路２４からの映像信号に当該生成したＯＳＤ信号を重畳し、ＯＳＤ信号を重畳した映像信号を画像データ生成回路２４に対して供給する。すると、画像データ生成回路２４にてＯＳＤ信号を重畳した映像信号に対応するＲＧＢ信号が生成され、駆動ドライバ２６は、画像データ生成回路２４から上記ＲＧＢ信号が入力されると、ＰＤＰ２７に表示する１画面分の画像データを生成して、ＰＤＰ２７に出力することにより、ＰＤＰ２７に画像データに基づく画像表示をさせる。
【００５０】
ここで、映像信号にＯＳＤ信号が重畳されているので、テレビジョン１０の画面にはカーソルとともに操作項目の一覧が表示される。このとき、ユーザーはこのメニュー画面に従ってリモコン６０に配置された操作キーを押し下げ操作することで操作項目の選択入力を行うことができる。そこで、マイコン３４は、赤外線受光回路から電圧信号を入力して対応するキー操作を検知することにより、リモコンから操作入力を受け付ける。ここで、上下左右カーソル移動キー６１ａ，６１ｂ，６１ｃ，６１ｄの操作を検知した場合、カーソルを上下左右に移動させる。
【００５１】
そして、カーソル移動キー６１ａ，６１ｂ，６１ｃ，６１ｄにてカーソルを「画質」にあわせてカーソル選択キー６１ｅを押し下げ操作すると、マイコン３４は半導体メモリ３６から「画質」のサブメニューの操作項目全てを表す上方をＲＯＭ３４ａよりより取得して、メインメニューと同様にテレビジョン１０の画面にカーソルとともに操作項目の一覧を表示させる。
【００５２】
ユーザがカーソル移動キー６１ａ，６１ｂ，６１ｃ，６１ｄおよびカーソル選択キー６１ｅの押し下げ操作を行い、「輝度」の操作項目の選択入力を行うと、図１２のように輝度調整の画面が表示される。同輝度調整の画面には、４：３表示領域Ｘと非表示領域Ｚとに、現在の輝度調整量に従って白ベタの映像が表示されるとともに、第二の画質調整経路２２ｂに現在設定されている輝度調整量を表す情報が表示される。
【００５３】
このときマイコン３４は白一色の映像信号と同期信号とを生成し、画質調整回路２２に出力する。画質調整回路２２は、４：３表示領域Ｘに対応する映像信号は第一の画質調整経路２２ａにて画質の調整を行わせ、非表示領域Ｚに対応する映像信号は第二の画質調整経路２２ｂにて画質の調整を行わせ、画像データ生成回路２４に出力させる。また、半導体メモリ３６の所定のアドレスに格納されている輝度調整量を表す情報を取得して、当該情報に対応する数値とスライダとのＯＳＤ信号をＯＳＤ回路３４ｄに生成させ、画像データ生成回路２４に出力させる。そして、画像データ生成回路２４は白一色の映像信号に、ＯＳＤ信号を重畳した映像信号を駆動ドライバ２６に出力してＰＤＰ２７の画面に表示させる。
【００５４】
図１２においては、輝度調整量を表す情報として、数値とともにスライダが表示されている。上記白ベタの映像は、白一色の均一な映像信号を、第一の画質調整経路２２ａと第二の画質調整経路２２ｂとに入力させ、現在の輝度調整量に基づいて各調整経路にて輝度信号の調整を行わせた映像信号が表示される。むろん白だけでなく、赤一色や緑一色や青一色の映像信号を順に表示させて、赤や緑や青の各色に対する輝度調整量をそれぞれに設定する設定としてもよい。
【００５５】
以下、輝度調整量の設定を行う際のマイコン３４の処理を、図１３のフローチャートを参照して説明する。本フローはサブメニュー「画質」にて「輝度」の操作項目が選択入力されたときに実行される。
【００５６】
処理を開始すると、まずステップＳ１００にて、白ベタの映像を生成し、現在の輝度調整量に従って画質調整回路２２にて調整された映像を画面に表示させるとともに、現在の輝度調整量を表す情報を半導体メモリ３６の所定のアドレスより取得し、輝度調整量に対応する数値情報とスライダとを画面にＯＳＤ表示させてステップＳ１１０に進む。
【００５７】
ステップＳ１１０では、上下カーソル移動キーの操作入力を検知してたか否かを判断する。上下カーソル移動キー６１ａ、６１ｃの押し下げ操作を検知した場合は条件成立としてステップＳ１２０に進む。一方、上下カーソル移動キー６１ａ、６１ｃの押し下げ操作を検知しない場合は条件不成立としてステップＳ１４０に進む。
【００５８】
ステップＳ１２０では、ステップＳ１１０で上カーソル移動キー６１ａの操作入力を検知した場合は輝度調整量に対応する数値情報を１増加させ、同数値情報に対応する輝度調整量を表す情報を半導体メモリ３６の所定のアドレスに格納させ、ステップＳ１１０で下カーソル移動キー６１ｃの操作入力を検知した場合は輝度調整量に対応する数値情報を１減少させて、同数値情報に対応する輝度調整量を表す情報を半導体メモリ３６の所定のアドレスに格納させ、ステップＳ１３０に進む。
【００５９】
このとき、画質調整回路２２は、半導体メモリ３６に格納されている輝度調整量を表す情報が変更されると、変更された情報に従って映像信号の輝度の調整を行うため、リモコン６０の上下カーソル移動キー６１ａ，６１ｃの押し下げ操作に従って画面の白ベタ表示にも輝度調整量の変更が反映される。
【００６０】
ステップＳ１３０では、半導体メモリ３６に再格納された輝度調整量を表す情報に従って、輝度調整量に対応する数値情報とスライダとのＯＳＤ信号をＯＳＤ回路３４ｄに生成させ、画面に再表示させてステップＳ１４０に進む。
【００６１】
ステップＳ１４０では、カーソル選択キー６１ｅの操作入力を検知したか否かを判断する。カーソル選択キー６１ｅの操作入力を検知した場合は条件成立として当該処理を終了する。一方、カーソル選択キー６１ｅの操作入力を検知しない場合は条件不成立としてステップＳ１１０〜Ｓ１４０の処理を繰り返す。
【００６２】
以上より、ステップＳ１００〜Ｓ１４０の処理を行うマイコン３４および輝度調整量を表す情報が格納される半導体メモリ３６が、上記輝度調整量を設定する入力を受け付け、上記第二の画質調整手段に対して同入力を受け付けた輝度調整量で上記画面上の映像の輝度を調整させる輝度調整手段を構成する。むろん、輝度の調整は、メニューからでなくとも、リモコン６０や操作パネル（不図示）などに輝度調整を開始する旨を指示するボタンやダイヤルを設けて行う構成としても構わない。
【００６３】
次に、上記構成からなる本実施形態の動作を説明する。
図５のように、１６：９の表示画面に４：３の映像を長時間表示させた後、１６：９の映像を表示させると、図９のように左右の非表示領域Ｚと中央部の４：３表示領域との間で輝度のギャップが生じる。このときユーザはリモコン６０のメニューキー６４を押し下げ操作することにより、図１１のメインメニューをＰＤＰ２７の画面にＯＳＤ表示させる。
【００６４】
そしてリモコン６０の上下カーソル移動キー６１ａ，６１ｃを操作入力し、カーソルを「画質」の操作項目に合わせてカーソル選択キー６１ｅを操作入力することにより、「画質」の操作項目を選択入力し、画面に「画質」のサブメニューをＯＳＤ表示させる。
【００６５】
同様にリモコン６０の操作を行い、「輝度」の操作項目を選択入力すると、マイコン３４が白一色の映像信号を生成して図１２のように白ベタ表示させるとともに、半導体メモリ３６の所定のアドレスに格納されている輝度調整量を表す情報を取得して、当該情報に対応する数値とスライダとのＯＳＤ信号をＯＳＤ回路３４ｄに生成させ、画像データ生成回路２４に出力させる。そして、画像データ生成回路２４は白一色の映像信号に、ＯＳＤ信号を重畳した映像信号を駆動ドライバ２６に出力してＰＤＰ２７の画面に表示させる（ステップＳ１００）。
【００６６】
そして、４：３表示領域Ｘが非表示領域Ｚに比べて明るいときは、リモコン６０の上カーソル移動キー６１ａの押し下げ操作を行い（ステップＳ１１０）、半導体メモリ３６の所定のアドレスに格納されている輝度調整量を表す情報を、輝度の利得を増加させるように変更させ、４：３表示領域Ｘが非表示領域Ｚに比べて暗いときは、リモコン６０の下カーソル移動キー６１ｃの押し下げ操作を行い、半導体メモリ３６の所定のアドレスに格納されている輝度調整量を表す情報を、輝度の利得を減少させるように変更させる。
【００６７】
このとき、画質調整回路２２は、半導体メモリ３６に格納されている輝度調整量を表す情報が変更されると、変更された情報に従って映像信号の輝度の調整を行うため、リモコン６０の上下カーソル移動キー６１ａ，６１ｃの押し下げ操作に従って画面の白ベタ表示にも輝度調整量の変更が反映される。４：３表示領域Ｘの明るさと非表示領域Ｚの明るさとが等しくなれば、ユーザはリモコン６０のカーソル選択キー６１ｅを押し下げ操作し、「輝度」の操作項目の設定を終了する。
【００６８】
（４）まとめ：
つまり、走査線に分解されて入力される映像信号の走査のタイミングに合わせてタイミング生成回路２２ｃが第一の画質調整経路２２ａと第二の画質調整経路２２ｂをと切り替えて映像信号を入力し、第一の画質調整経路２２ａは入力される映像信号に対して画面上の映像の輝度を調整する所定の処理を行い、第二の画質調整経路２２ｂは設定された輝度調整量で入力される映像信号に対して画面上の映像の輝度を調整する処理を行い、マイコン３４が輝度調整量を設定する入力を受け付け第二の画質調整経路２２ｂに対して同入力を受け付けた輝度調整量で上記画面上の映像の輝度を調整させる。
【００６９】
以上説明したように、本実施例に対応する請求項２にかかる映像表示装置では、走査線に分解されて入力される映像信号に基づき所定の画面に映像を表示するディスプレイを備える映像表示装置において、上記入力される映像信号に対して上記画面上の映像の輝度を調整する所定の処理を行う第一の画質調整手段と、上記入力される映像信号に対して設定された輝度調整量で上記画面上の映像の輝度を調整する処理を行う第二の画質調整手段と、上記輝度調整量を設定する入力を受け付け、上記第二の画質調整手段に対して同入力を受け付けた輝度調整量で上記画面上の映像の輝度を調整させる輝度調整手段と、上記走査線の走査のタイミングに合わせて上記第一の画質調整手段と上記第二の画質調整手段とを切り替えながら上記画面上の映像の輝度を調整させる切替手段とを備える構成としてある。
【００７０】
つまり、走査線に分解されて入力される映像信号の走査のタイミングに合わせて上記切替手段が上記第一の画質調整手段と上記第二の画質調整手段をと切り替えて映像信号を入力し、上記第一の画質調整手段は入力される映像信号に対して上記画面上の映像の輝度を調整する所定の処理を行い、上記第二の画質調整手段は設定された輝度調整量で上記入力される映像信号に対して上記画面上の映像の輝度を調整する処理を行い、上記輝度調整手段が上記輝度調整量を設定する入力を受け付け上記第二の画質調整手段に対して同入力を受け付けた輝度調整量で上記画面上の映像の輝度を調整させる。
上記のように構成した請求項２に記載の発明においては、発生した輝度差を吸収する為の回路を設け、輝度調整量を受け付けることが可能としたため、精度よく輝度の調整を行える映像表示装置を提供することが出来る。
【００７１】
そして、請求項３にかかる発明では、請求項２に記載の映像表示装置において、上記第二の画質調整手段は、上記設定された輝度調整量に応じて上記入力される映像信号に含まれる輝度信号の利得を変更することにより上記画面上の映像の輝度を調整する構成としてある。
上記のように構成した請求項３に記載の発明においては、映像信号の輝度調整を利得により行うため、暗い領域での黒つぶれを防ぐことが出来る。
【００７２】
さらに、請求項４にかかる発明では、請求項２または請求項３に記載の画像表示装置において、上記ディスプレイは、第一のアスペクト比の映像と当該第一のアスペクト比よりも横長とされた第二のアスペクト比の映像とを選択的に上記画面に表示するディスプレイとされ、上記切替手段は、上記走査のタイミングに合わせて、上記画面上で上記第一のアスペクト比の映像が表示される領域の映像の輝度を上記第一の画質調整手段に調整させるとともに、上記画面上で上記第二のアスペクト比の映像が表示される領域のうち上記第一のアスペクト比の映像が表示される領域を除く領域の映像の輝度を上記第二の画質調整手段に調整させる構成としてある。
【００７３】
つまり、上記切替手段の上記走査のタイミングに合わせた切り替えにより、上記第一の画質調整手段が上記画面上で上記第一のアスペクト比の映像が表示される領域の映像の輝度を調整し、上記第二の画質調整手段が上記画面上で上記第二のアスペクト比の映像が表示される領域のうち上記第一のアスペクト比の映像が表示される領域を除く領域の映像の輝度を調整する。
【００７４】
上記のように構成した請求項４に記載の発明においては、画面上で第一のアスペクト比の映像が表示される領域は、画面上で第二のアスペクト比の映像が表示される領域のうち第一のアスペクト比の映像が表示される領域を除く領域よりも焼き付きが生じやすいが、画面上で第二のアスペクト比の映像が表示される領域のうち第一のアスペクト比の映像が表示される領域を除く領域の輝度を、輝度調整量を設定可能な第二の画質調整手段にて調整させるため、輝度を下げる調整が可能となり、無理なく輝度の調整が行える。
【００７５】
また、請求項５にかかる発明では、請求項２〜請求項４のいずれかに記載の映像表示装置において、上記輝度調整手段は、上記画面上の映像を表現する色成分毎に上記輝度調整量を設定する入力を受け付け、当該色成分毎に上記第二の画質調整手段に対して同入力を受け付けた輝度調整量で上記画面上の映像の輝度を調整させる構成としてある。
【００７６】
つまり、上記画面上の映像を表現する色成分毎に上記輝度調整量を設定する入力を受け付けた上記輝度調整手段は、当該色成分毎に上記第二の画質調整手段に対して同入力を受け付けた輝度調整量で上記画面上の映像の輝度を調整させる。
上記のように構成した請求項５に記載の発明においては、色成分ごとに輝度補正量を設定可能としたため、より精度よく輝度の調整を行える映像表示手段を提供することが可能となる。
【００７７】
そして、請求項６にかかる発明では、請求項２〜請求項５のいずれかに記載の映像表示装置において、上記輝度調整手段は、上記画面上の映像を表現する色成分毎に当該色成分のみからなる色の画面を上記ディスプレイに表示させ、当該色成分毎に上記輝度調整量を設定する入力を受け付けて上記第二の画質調整手段に対して同入力を受け付けた輝度調整量で上記画面上の映像の輝度を調整させる構成としてある。
【００７８】
つまり、上記画面上の映像を表現する色成分毎に当該色成分のみからなる色の画面を上記ディスプレイに表示させる上記輝度調整手段は、当該色成分毎に上記輝度調整量を設定する入力を受け付けて上記第二の画質調整手段に対して同入力を受け付けた輝度調整量で上記画面上の映像の輝度を調整させる。
上記のように構成した請求項６に記載の発明においては、ユーザは実際に自分の目で見ながら輝度の調整を行える為より精度の高い輝度調整可能な映像表示手段を提供することが可能となる。
【００７９】
以上の構成を踏まえた上で、請求項１の発明は走査線に分解されて入力される映像信号に基づき所定の画面に映像を表示するアスペクト比１６：９のワイドタイプの表示画面を持つプラズマディスプレイパネルモジュールと、音声を出力するスピーカと、入力された中間周波信号から映像信号と同期信号と音声信号とを復元して出力する中間周波増幅・検波回路と、入力された映像信号に画質の調整を行う画質調整回路と、入力された映像信号に所定の信号処理を行う画像データ生成回路と、情報を書き換え可能な不揮発性の半導体メモリと、所定のフォーマットのパルスで表現した赤外線信号を受信して対応する電圧信号を生成する赤外線受光回路と、操作を受け付ける複数のキーと、上記赤外線信号を上記赤外線受光回路に向けて送信する赤外線送信回路とを有し、同複数のキーの操作に応じた赤外線信号を所定のフォーマットで送出するリモコンと、略矩形状の窓部から上記プラズマディスプレイパネルモジュールの画面を前方に露出させる樹脂製のキャビネットと、上記画面にＯＳＤ表示するため上記映像信号に重畳するＯＳＤ信号を生成するＯＳＤ回路を有し、上記赤外線受光回路から上記電圧信号を入力して対応するキー操作を検知することにより上記リモコンから操作入力を受け付け、受け付けた操作入力に対応したＯＳＤ信号を生成するとともに操作項目を画面に一覧表示させるＯＳＤ信号を生成し、上記画像データ生成回路にて表示された上記操作項目の中からいずれかを選択する操作入力を上記リモコンから受け付けるとともに選択された上記操作項目に対応する設定処理を実行するマイコンとを備えるプラズマテレビジョンにおいて、上記画質調整回路は、入力される映像信号に対して当該映像信号に含まれる輝度信号の利得を調整することにより上記画面上の映像の輝度を調整する所定の処理を行う第一の画質調整経路と、輝度調整量を表すデータを格納する不揮発性半導体メモリであってデータの書き換え可能なメモリを有し、当該メモリに格納されたデータに対応する輝度調整量で上記入力される映像信号に対して当該映像信号に含まれる輝度信号の利得を変更することにより上記画面上の映像を調整する処理を行う第二の画質調整経路と、上記走査線の走査のタイミングに合わせて、上記画面上で上記アスペクト比４：３の映像が表示される領域の映像の輝度を上記第一の画質調整経路に調整させるとともに、上記画面上で上記アスペクト比１６：９の映像が表示される領域のうち上記アスペクト比４：３の映像が表示される領域を除く領域の映像の輝度を上記第二の画質調整経路に調整させるタイミング生成回路とを備え、上記マイコンは、上記画面上の映像を表現する色成分毎に当該色成分のみからなる色の画面を上記ディスプレイに表示させ、当該色成分毎に上記輝度調整量を設定する操作入力をリモコンから受け付けて上記メモリに同入力を受け付けた輝度調整量を表すデータを書き込むことにより、上記画面上で上記アスペクト比１６：９の映像が表示される領域のうち上記アスペクト比４：３の映像が表示される領域を除く領域の映像の輝度を調整させる構成としてある。
上記半導体メモリとしては不揮発性でデータ書き換え可能であればいかなるものでも構わない
【００８０】
本実施例においては、第一の画質調整経路２２ａが第一の画質調整手段を構成し、第二の画質調整経路２２ｂが第二の画質調整手段を構成し、同期信号を受信して第一の画質調整経路２２ｂと第二の画質調整経路とを切り替えさせる制御信号を出力するタイミング生成回路２２ｃおよびタイミング生成回路より制御信号を受信して動作するスイッチ２２ｄが切替手段を構成する。
【００８１】
ステップＳ１００〜Ｓ１４０の処理を行うマイコン３４および輝度調整量を表す情報が格納される半導体メモリ３６が、上記輝度調整量を設定する入力を受け付け、上記第二の画質調整手段に対して同入力を受け付けた輝度調整量で上記画面上の映像の輝度を調整させる輝度調整手段を構成する。むろん、輝度の調整は、メニューからでなくとも、リモコン６０や操作パネル（不図示）などに輝度調整を開始する旨を指示するボタンやダイヤルを設けて行う構成としても構わない。
【００８２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８３】
【図１】本発明の実施例にかかるプラズマテレビジョンの構成を示すブロック構成図である。
【図２】本発明のリモコンの一例を示す図である。
【図３】本発明のリモコンの概略構成を示すブロック図である。
【図４】本発明の画質調整回路の構成を示すブロック図である。
【図５】本発明のプラズマテレビジョンの表示画面を示す模式図である。
【図６】本発明のタイミング生成回路より出力される制御信号のタイミングチャートである。
【図７】画像調整回路における輝度信号の入力に対する出力の利得を示すグラフである。
【図８】画像調整回路における輝度信号の入力に対する出力の利得を示すグラフである。
【図９】本発明のプラズマテレビジョンの表示画面を示す模式図である。
【図１０】本発明のプラズマテレビジョンの表示画面を示す模式図である。
【図１１】本発明のメニューを表すブロック図である。
【図１２】輝度設定画面の一例である。
【図１３】輝度設定を行うマイコンの処理を示すフローチャートである。
【符号の説明】
【００８４】
１０  …プラズマテレビジョン
２０  …チューナ回路
２０ａ…アンテナ
２２  …画質調整回路
２２ａ…第一の画質調整経路
２２ｂ…第二の画質調整経路
２２ｃ…タイミング生成回路
２２ｄ…スイッチ
２６  …駆動ドライバ
３２  …電源回路
３４  …マイコン
３４ｄ…ＯＳＤ回路
３６  …半導体メモリ
５１  …操作キー
５２  …制御回路
５６  …赤外線送信回路
６０  …リモコン
６１ａ…上カーソル移動キー
６１ｂ…左カーソル移動キー
６１ｃ…下カーソル移動キー
６１ｄ…右カーソル移動キー
２７  …ＰＤＰ
Ｘ    …４：３表示領域
Ｚ    …非表示領域
【図１】
2007174507.tif 000003
【図２】
2007174507.tif 000004
【図３】
2007174507.tif 000005
【図４】
2007174507.tif 000006
【図５】
2007174507.tif 000007
【図６】
2007174507.tif 000008
【図７】
2007174507.tif 000009
【図８】
2007174507.tif 000010
【図１１】
2007174507.tif 000011
【図１２】
2007174507.tif 000012
【図１３】
2007174507.tif 000013
【図９】
2007174507.tif 000014
【図１０】
2007174507.tif 000015